(57)【特許請求の範囲】
【請求項１】
弁を持つ栓状部材が、上下方向に配置された筒状部材内を往復運動することにより、燃料タンクから吸入筒部を介して液体燃料を汲み上げて燃焼部に供給する電磁ポンプにおいて、前記吸入筒部を導電部材で構成すると共に、樹脂製の吸入筒に比べて内径を細くした細管構成としたことを特徴とする電磁ポンプ。
【請求項２】
下流側端が開放されていると共に上流側端に吸入用逆止弁が設けられたプランジャが、上下流側の両側から付勢手段で平衡支持されてシリンダ内に配設され、電磁コイルに供給される制御電流によって下流側の上死点まで前記プランジャを往動させるとともに、前記付勢手段によって上流側の下死点まで前記プランジャを復動させ、その復動時に前記吸入用逆止弁を開成して内部に液体タンクから吸入筒部を介して吸引した液体燃料を往動時に吐出用逆止弁を開成して吐出口から吐出可能に構成した電磁ポンプにおいて、前記吸入筒部を金属製材料で構成すると共に前記吸入筒部の内径を、樹脂製の吸入筒に比べて内径を細く構成したことを特徴とする電磁ポンプ。
【請求項３】
前記吸入筒部は、その下端部途中に液体燃料の吸入口が形成されていると共に、その上端部が、水検知を報知させる水検知制御手段に接続されていることを特徴とする請求項１または２記載の電磁ポンプ。
【請求項４】
前記吸入筒部が、液体タンク外壁を貫通して設けられ、前記液体タンク外壁との間でシールした構成とすることを特徴とする請求項１〜３の何れかに記載の電磁ポンプ。
【発明の詳細な説明】
【０００１】
【発明の属する技術分野】
本発明は、暖房または給湯、調理用の各種燃焼装置に用いられ、例えば民生用の石油燃焼器などに白灯油などの液体燃料を供給する電磁ポンプに関する。
【０００２】
【従来の技術】
従来、この種の電磁ポンプは、石油燃焼器などの燃焼装置の燃焼部に気化器を介して燃料供給している。このような従来の電磁ポンプについて、次の図６に示している。
【０００３】
図６は従来の電磁ポンプの構成を示す縦断面図である。
図６において、この電磁ポンプ４１には、筒状体のシリンダ４２と、このシリンダ４２の上部に設けられ上端部に吐出口４３を有する吐出継ぎ手４４と、シリンダ４２の下部に設けられ下端部に吸入口４５を有する吸入筒４６とが設けられている。これらの吐出継ぎ手４４、シリンダ４２および吸入筒４６が一体的に接続されて吸入口４５から吐出口４３に至る管状体を構成している。
【０００４】
このシリンダ４２内には、流体通路を有するフリーピストン状のプランジャ４７が一対の支持ばね４８，４９で摺動往復運動可能に所定位置に釣り合って配設されている。このプランジャ４７内の流体通路には逆止弁５０が配設されている。この逆止弁５０は吸入弁座５１に吸入弁５２をばね５３で軽く付勢した状態で吸入弁座５１の開口部を開閉可能な構成となっている。また、吐出継ぎ手４４内には逆止弁５４が配設されている。この逆止弁５４は吐出弁座５５に吐出弁５６をばね５７で軽く付勢した状態で吐出弁座５５の開口部を開閉可能な構成となっている。
【０００５】
また、このシリンダ４２の外周部にはコイルボビン５８が配設されており、そのコイルボビン５８には電磁力を発生させるための電磁コイル５９が巻回されている。このコイルボビン５８の内側には磁極６０，６１が配設され、コイルボビン５８および電磁コイル５９の外側には、磁極６０，６１と磁路を形成する磁路部材６２が配設されている。また、このコイルボビン５８の上側には、片持ち支持されて吐出方向と直交する方向に延設された端子板６３が配設されている。この端子板６３には、電磁コイル５９の両端が接続されるコイル端子が配設されている。さらに、吸入筒４６の吸入口４５側には液体燃料から塵などを除去するフィルタ６４が配設されている。
【０００６】
さらに、コイルボビン５８の下方位置にはコネクタ端子６５が配設されており、このコネクタ端子６５と、吸入筒４６に固定された固定金具６６との間にリード線６７が接続されている。さらに、この固定金具６６の下面側には、その下方に延びる金属片６８が配設されており、金属片６８の端部は、フィルタ６４の下面の下方部に若干の距離を置いて配設されるようにＬ字状に屈曲している。これらのコネクタ端子６５、固定金具６６、リード線６７および金属片６８で燃料タンク（図示せず）内の水検知端子部６９を構成しており、コネクタ端子６５に制御回路（図示せず）を接続することによって、吸入筒４６の吸入口４５から水を吸引することがないように、水検知を行ってそれを報知する構成となっている。
【０００７】
上記構成により、まず、電磁コイル５９に端子板６３上のコイル端子（図示せず）を介してパルス状の制御駆動信号が入力される。この結果、プランジャ４７は電磁吸引力を受け、シリンダ４２内を復動用ばね４８の付勢力に抗して上方向に往動して上死点まで移動する。これにより、プランジャ４７内の圧力が上がって、吸入側逆止弁５０は吸入弁座５１に吸入弁５２が押しつけられて閉成することで逆流が防止されると共に、吐出側逆止弁５４は、シリンダ４２内の高い圧力によって逆止弁５６の底面が押圧されてばね５７の付勢力に抗して吐出弁５６を押し開いて開成させ、上端部の吐出口４３から液体燃料を吐出する。
【０００８】
次に、制御駆動信号のポンプ往動期間による電磁コイル５９への励磁が終了し、プランジャ４７は復動用ばね４８の付勢力によって復動して戻ることになる。この下死点に戻る過程で、プランジャ４７内の圧力が負圧となって、吸入側逆止弁５０はばね５３の付勢力に抗して吸入弁５２が押し開けられて液体燃料を吸引すると共に、吐出側逆止弁５４は、このシリンダ４２内の負圧力によって吐出弁５６が吐出弁座５５側に押し付けられて閉成することにより、前回に吐出側逆止弁５４を介して吐出された送油管内の液体燃料の逆流を防止すると共に、燃料タンク（図示せず）内の液体燃料を吸入口４５さらに吸入側逆止弁５０を介して吸引する。
【０００９】
以上を繰り返すことによって燃料タンク（図示せず）から吸引された液体燃料は、電磁ポンプ４１の吐出口４３から燃焼器（図示せず）に向けて供給されることになる。
【００１０】
このとき、水検知端子部６９の金属片６８に、燃料タンク（図示せず）の底に溜った水分が接触すると、液体燃料は絶縁性であるが水分は導電性であるため、これを、金属片６８からリード線６７さらにコネクタ端子６５と燃料タンク（図示せず）とが導通することで、制御回路が検知して水検知警報ランプを点灯させるなどして使用者に知らせるようになっている。
【００１１】
【発明が解決しようとする課題】
上記従来の電磁ポンプ４１は、燃焼器（図示せず）に液体燃料を供給して燃焼をスタートさせる際に多少の２〜３秒間の着火時間を要しているが、この着火時間を維持するためには電磁ポンプ４１が漏れのないことが必要である。電磁ポンプ４１が漏れたり、不使用期間が長くなったりすると、一から汲み上げなければならず、このような場合に２〜３秒間を超える着火時間となってしまう。このように、燃焼器（図示せず）における着火までに時間を要し過ぎると、使用者は不快感を得るだけではなく、着火エラーと判断されかねないという虞があった。
【００１２】
本発明は、上記従来の問題を解決するもので、燃焼器に液体燃料をより速く供給することができて、一から汲み上げるような場合にも、使用者に不快感を与えたり着火エラーと判断されたりすることのない電磁ポンプを提供することを目的とする。
【００１３】
【課題を解決するための手段】
本発明の電磁ポンプは、弁を持つ栓状部材が、上下方向に配置された筒状部材内を往復運動することにより、燃料タンクから吸入筒部を介して液体燃料を汲み上げて燃焼部に供給する電磁ポンプにおいて、吸入筒部を金属製材料などの導電部材で構成しかつ樹脂製の吸入筒に比べて内径を細くした細管構成としたことを特徴とするものである。また、具体的には、本発明の電磁ポンプは、下流側端が開放されていると共に上流側端に吸入用逆止弁が設けられたプランジャが、上下流側の両側から付勢手段で平衡支持されてシリンダ内に配設され、電磁コイルに供給される制御電流によって下流側の上死点まで前記プランジャを往動させるとともに、付勢手段によって上流側の下死点まで前記プランジャを復動させ、その復動時に吸入用逆止弁を開成して内部に液体タンクから吸入筒部を介して吸引した液体燃料を往動時に吐出用逆止弁を開成して吐出口から吐出可能に構成した電磁ポンプにおいて、吸入筒部を金属製材料で構成すると共に吸入筒部の内径を、樹脂製の吸入筒に比べて内径を細く構成したことを特徴とするものである。
【００１４】
この構成により、液体燃料を吸い上げる吸入筒が導電部材であるので、水検知端子と兼用することが可能で、従来のように、水検知のために吸入筒部以外のアクチュエータ部材を多数必要とせず、従来のものに比べて部品点数が少なくなってその構成が簡単なものになる。また、液体燃料を吸い上げる吸入筒が金属製であるので、その内径を、従来の樹脂製の吸入筒の場合（内径３．５ｍｍ以上）に比べてより細く形成することが可能となり、この場合、電磁ポンプが吸い上げる液体燃料の量が一定であれば、吸い上げ速度が速くなり、燃料タンクから燃焼器まで液体燃料をより速く供給することが可能となる。したがって、燃焼スタート時の点火時間が大幅に短縮され得ることになり、燃料タンクが深い場合や一から汲み上げるような場合などにも、使用者に不快感を与えたり着火エラーと判断されたりすることがない。
【００１５】
また、好ましくは、本発明の電磁ポンプにおける吸入筒部は、その下端部途中に液体燃料の吸入口が形成されていると共に、その上端部が、水検知を報知させる水検知制御手段に接続されている。
【００１６】
この構成により、吸入筒部は一体物の導電性材料でかつその下端部は吸入口の下方に突出しているので、吸入筒部の下端部で燃料タンクの底に溜った水分を、吸入口から吸い込まないうちに水検知制御手段で検知することが可能となり、水検知制御手段によって水検知を報知する。
【００１７】
さらに、好ましくは、本発明の電磁ポンプにおける吸入筒部が液体タンク外壁を貫通して設けられ、液体タンク外壁との間でシールする構成とする。
【００１８】
この構成により、吸入筒部を燃料タンク外壁に貫通させてシールするようにすれば、電磁ポンプ本体の燃料タンクへの取付に比べて吸入筒部の燃料タンクへの取付の方がその取付径が大幅に細くシールが容易で、タンク転倒時の燃料漏れに対するシール性も良好なものとなる。また、燃料タンクに電磁ポンプを直接取付しないので、電磁ポンプの駆動による振動が燃料タンクに共鳴効果を与えるようなことが抑えられ、電磁ポンプの駆動音が小さくなる。
【００１９】
【発明の実施の形態】
以下、本発明に係る電磁ポンプの実施形態について図面を参照して説明する。
【００２０】
図１は本発明の一実施形態における燃焼装置の構成を示すブロック図である。
【００２１】
図１において、石油ストーブなどの燃焼装置には、燃料補給用のカートリッジ１と、このカートリッジ１から液体燃料Ｆが供給されて貯留される燃料タンク２と、この燃料タンク２の液体燃料Ｆ内に、導電性部材としての金属製材料で細管構成の吸入筒３の下端部途中に形成された吸入口を位置させて上端の吐出口から液体燃料Ｆを吐出して供給する電磁ポンプ４と、この電磁ポンプ４の吐出口と一端が連結され、燃料供給流路および燃料戻り流路よりなる分岐経路が水平となるように、その他端がＴ字状に分岐しており、その分岐した他端の一方（右側）が、内部圧力が所定圧力以上になると開弁する安全弁５を介して燃料タンク２内に連通する安全弁付きジョイント部６と、この安全弁付きジョイント部６の分岐した他端の他方（左側）が配管で連結され、ヒータ７で高温に加熱しつつ、この配管を介して供給された液体燃料Ｆを気化させて気化燃料噴霧ノズル８から霧状の燃料を噴出させる気化器９と、この気化燃料噴霧ノズル８のノズル口を清掃するソレノイド装置１０と、気化燃料噴霧ノズル８のノズル口に対向して配設され、ノズル口から噴射した気化燃料を燃焼させる燃焼器１１と、この電磁ポンプ４の電磁コイルに制御電流としての駆動制御パルスを供給して、液体燃料Ｆを気化器９に定量供給するように制御し、また、気化器９のヒータ７の温度制御、ソレノイド装置１０によるノズル口の清掃制御、さらに、燃焼器１１の点火または消火などの燃焼制御などを行い、さらに、吸入筒３の下方端を水検知端子３４として水検知を行って水検知警報制御をする燃焼制御部１２とが備えられている。
【００２２】
図２は図１の電磁ポンプ４の外観構成および燃焼制御部１２の詳細構成を示す図であり、図３は図２の電磁ポンプ４の縦断面図である。
【００２３】
図２および図３において、この電磁ポンプ４には、筒状体のシリンダ１３と、この筒状部材としてのシリンダ１３の上部に設けられ上端部に吐出口１４を有する吐出継ぎ手１５と、シリンダ１３の下部に設けられ下端部に吸入口１６を有する吸入筒３とが備えられている。これらの吐出継ぎ手１５、シリンダ１３および吸入筒３が一体的に接続されて吸入口１６からシリンダ１３内を介して吐出口１４に至る管状体を構成している。また、この吸入筒３の吸入口１６側には液体燃料Ｆから塵などを除去するフィルタ１７が配設されている。
【００２４】
このシリンダ１３内には、流体通路を有するフリーピストン状の栓状部材としてのプランジャ１８が上下流側の両側から付勢手段としての復動用ばね１９と平衡ばね２０とで平衡支持されて、上死点と下死点間を上下に往復運動可能に配設されている。また、このプランジャ１８内の流体通路には、吸入弁座２１に球状の吸入弁２２を付勢手段としてのばね２３で軽く付勢した状態で吸入弁座２１の開口部を開閉可能なように構成した吸入側逆止弁が設けられている。さらに、吐出継ぎ手１５内には、吐出弁座２４に吐出弁２５をばね２６で軽く付勢した状態で吐出弁座２４の開口部を開閉可能なように構成した吐出側逆止弁が設けられている。
【００２５】
また、このシリンダ１３の外周部にはコイルボビン２７が配設されており、このコイルボビン２７にはプランジャ１８に電磁力を発生させるための電磁コイル２８が配設されている。このコイルボビン２７の内側には磁極部材２９，３０が配設され、コイルボビン２７および電磁コイル２８の外側には、磁極部材２９，３０と磁路を形成する磁路部材としてのヨーク３１が配設されている。また、このコイルボビン２７には、端子板３２が配設されている。この端子板３２上の各入力端子には電磁コイル２８の両端が接続されており、上記燃焼制御部１２から端子板３２上の抵抗器３３を介して電磁コイル２８に電気的に接続する構成である。
【００２６】
さらに、吸入筒３はステンレスなどの金属製材料でパイプ状に構成されており、従来の樹脂製の吸入筒では、金型による生産上、パイプ長さを長くすればその内径を太くする必要があって、所定の長さに対してその内径が３．５ｍｍ以上必要であり、それよりも細く均一に構成することはできなかったが、ステンレスなどの金属製材料では、その長さに制約されず、その内径が３．５ｍｍよりも細く均一な細管構成とすることができる。本実施形態ではその内径を３．０ｍｍに形成した。また、ステンレスなどの金属製材料では、細い内径でしかも燃料タンク２の深さに応じて長く構成することができ、深い燃料タンク２であってもその内径を３．０ｍｍに維持した状態で、または、それよりも細い内径（３．０ｍｍ以下）で液体燃料Ｆを素早く供給して着火可能な構成となっている。このように、ステンレスパイプなどの吸入筒３は実質長さに制限はなく、その内径を３．０ｍｍ以下により細く構成することができる。
【００２７】
また、液体燃料吸引用の吸入筒３のパイプ先端は、潰して閉塞状態とした水検知端子３４で構成しており、ステンレスパイプなどの金属製材料の導電性を利用して水検知端子を兼ねることができ、しかも、かしめ加工で容易に閉塞状態に加工することができる。この水検知端子３４の下端から５ｍｍ〜１０ｍｍほど上方位置（水を吸引しない距離）に両側から横穴の吸入口１６が形成されており、吸入筒３の下端部途中に液体燃料の吸入口１６が形成されている。このように、吸入筒３の先端部は、吸入口１６の下側に突出するように水検知端子３４が設けられているため、燃料タンク２の底に溜った水分を吸入口１６から吸い込まないうちにその水領域に水検知端子３４が接触可能となる。また、吸入筒３の上端部の内径は鍔状（ラッパ状）に拡径しており、その開いた内周面上にシリンダ１３の下端部が圧接状態で位置している。さらに、シリンダ１３の外周部は磁極部材３０および取付金具３５を介して外部接続部としてのファストンタブ３６に電気的に接続されており、さらに、ファストンタブ３６は、水検知を報知させる水検知制御手段としての水検知制御回路３７の一方入力端子に接続され、その他方入力端子は燃料タンク２の端子に接続されており、燃料タンク２の底面と水検知端子３４との間に水がきたときに両者が水を介して導通することで水検知を行っている。また、水検知制御回路３７の出力端子はランプおよびブザーなどの異常報知手段３８と燃焼制御部１２内の燃焼制御信号出力部（図示せず）とに接続されており、水検知制御回路３７で導通検知による水検知をした場合に異常報知手段３８を駆動させて使用者に水検知を伝えると共に、燃焼制御信号出力部（図示せず）に対して燃焼制御信号の出力を停止させるように制御する。
【００２８】
これらのシリンダ１３の下端部と吸入筒３の上端部とは分離可能であり、シリンダ１３の下端部と吸入筒３の上端部とを位置決めした状態で、リング部材３９をシリンダ１３の外周に形成されたねじ部に螺合させて締め付けることで、リング部材３９の内径段差部でシリンダ１３の下端部に吸入筒３の上端部をその外周に亘って圧接させるようになっている。なお、４０ａはシリンダ１３の外周部とリング部材３９の内周部の間のシール性を向上するためのＯリングであり、４０ｂは燃料タンク２の上壁に形成された取付穴とリング部材３９の外周部の間のシール性を向上するためのＯリングである。
【００２９】
上記構成により、まず、燃焼制御部１２から電磁コイル２８に抵抗器３３を介して制御駆動信号が出力される。この結果、プランジャ１８は電磁吸引力を受け、シリンダ１３内を復動用ばね１９の付勢力に抗して上方向に往動して上死点まで移動する。これにより、プランジャ１８内の圧力が上がって、吸入側逆止弁は吸入弁座２１に吸入弁２２が押しつけられて閉成することで逆流が防止されると共に、吐出側逆止弁は、シリンダ１３内の高い圧力によって吐出側の逆止弁２５の底面が押圧されてばね２６の付勢力に抗して吐出弁２５を押し開いて開成させ、上端部の吐出口１４から液体燃料を吐出させる。
【００３０】
次に、ポンプ往動期間による電磁コイル２８の励磁が終了し、復動用ばね１９の付勢力によって、ポンプ復動期間中に上死点から下死点に戻るべく復動することになる。この下死点に戻る過程で、プランジャ１８内の圧力が負圧となって、吸入側逆止弁はばね２３の付勢力に抗して吸入弁２２が押し開けられて液体燃料をプランジャ１８内に吸引すると共に、吐出側逆止弁は、このシリンダ１３内の負圧力によって吐出弁２５が吐出弁座２４側に押し付けられて閉成することにより、前回に吐出側逆止弁を介して吐出された送油管内の液体燃料の逆流を防止すると共に、燃料タンク２内の液体燃料Ｆを吸入口１６さらに吸入側逆止弁を介して吸引することができる。
【００３１】
以上の動作を繰り返すことによって燃料タンク２から吸引された液体燃料Ｆは、電磁ポンプ４の吐出口１４からジョイント部６さらに気化器９内に供給され、そこでヒータ７で高温に加熱されて気化し、気化燃料噴霧ノズル８から霧状の燃料を燃焼器１１に向けて噴射して燃焼させる。
【００３２】
このとき、吸入筒３は内径が３ｍｍ以下の細管構成でかつその長さに制約されないため、深い燃料タンク２であっても、吸い上げ速度が速くなり、燃料タンク２から燃焼器１１まで液体燃料Ｆをより速く供給できて、燃焼スタート時の着火時間が大幅に短縮され得る。
【００３３】
また、吸入筒３の水検知端子３４が燃料タンク２の底に溜った水分に接触した場合には、吸入筒３、シリンダ１３、磁極部材３０、取付金具３５およびファストンタブ３６が全て導電性であるので、燃料タンク２の底に溜った水分を通して燃料タンク２の底と導通することになって、この導通を水検知制御回路３７が検知することで水検知を行う。水検知制御回路３７が水検知すると、水検知制御回路３７は水検知異常ランプを点灯させると共に水検知異常ブザーを鳴らして使用者に水検知異常を知らせ、かつ電磁ポンプ４の駆動を停止させる。この場合に、使用者は、燃料タンク２の底にあるドレインコックを操作して燃料タンク２の底の水を抜き取ることになる。
【００３４】
したがって、液体燃料を吸い上げる吸入筒３の内径が、従来の樹脂製の吸入筒の内径（３．５ｍｍ以上）に比べて細管構成で、かつその長さにも制限はないので、電磁ポンプ４が吸い上げる液体燃料Ｆの量が一定であるとすれば、燃料タンク２から燃焼器１１まで液体燃料Ｆをより速く供給することができて、燃焼スタート時の着火時間を大幅に短縮することができ、燃料タンク２が深い場合や長期間不使用で一から汲み上げるような場合などにも、着火が遅くて使用者に不快感を与えたり従来のような着火エラーなどの誤判定を防止することができる。
【００３５】
また、吸入筒３は導電性材料でかつその下端部は吸入口１６の下方に所定距離だけ突出しているので、吸入筒３の下端部で燃料タンク２の底に溜った水分を、吸入口１６から吸い込まないうちに水検知してポンプ駆動を停止すると共に水検知を報知することが可能となる。この場合、水検知のために吸入筒３以外のアクチュエータ部材を必要とせず、従来のものに比べて部品点数が少なくなってその構成も簡単なものとなる。
【００３６】
さらに、ステンレスパイプであれば、所定長さに切断するだけで、深さの異なる燃料タンク２に対しても共通に使用することができる。
【００３７】
なお、本実施形態では、吸入筒３を一体物のステンレスパイプで構成したが、太さの異なる複数のステンレスパイプを順次その内径内にタケノコ状に収納自在で伸縮自在に構成することも可能である。この場合には、タンク深さの異なるあらゆる機種に対応することができる。
【００３８】
また、本実施形態では、吸入筒３の先端部に水検知端子３４を一体的に設けたが、図４に示すように金属製の吸入筒３ａの先端部に下方に開口した吸入口１６ａを形成し、その吸入口１６ａを覆うようにフィルタ１７ａを配設すると共に、上端部が吸入筒３ａの外周部に係合し、かつ下端部がフィルタ１７ａの下面から所定距離を置いた位置になるように屈曲した金属片の水検知端子３４ａを吸入筒３ａとは別体で配設してもよい。
【００３９】
さらに、本実施形態では、電磁ポンプ４のリング部材３９の外周部と燃料タンク２の上壁における取付穴との間でシールする構成としたが、吸入筒３ｂが燃料タンク２ｂの上壁の取付穴を貫通して設けられ、図５に示すように燃料タンク２ｂの上壁の取付穴と吸入筒３ｂとの間でシールする構成としてもよい。この場合、電磁ポンプ４ｂの本体の燃料タンク２ｂへの取付に比べて吸入筒３ｂの燃料タンク２ｂへの取付の方がその取付径も大幅に細くシールが容易で、タンク転倒時の燃料漏れに対するシール性も良好である。また、燃料タンク２ｂに電磁ポンプ４ｂを直接取付しないので、電磁ポンプ４ｂの駆動による振動が太鼓状の燃料タンク２ｂに共鳴効果を発生させることが防止され、電磁ポンプ４ｂの駆動音が大幅に小さくなる。この場合、電磁ポンプ４ｂと燃料タンク２ｂを離す方が共鳴効果の発生が抑制される。さらに、長期間に亘って電磁ポンプ４ｂを使用しない場合には、一からの汲み上げとなって着火に時間がかかるが、吸入筒３ｂおよび電磁ポンプ４ｂの少なくとも何れかを燃料タンク２ｂの液体燃料の面Ｈよりも下方位置に位置させれば、液体燃料の面Ｈよりも下方に液体燃料が下がることは無くなって一からの汲み上げとならず着火時間も早くなる。
【００４０】
【発明の効果】
以上のように本発明によれば、液体燃料を吸い上げる吸入筒が導電性部材であるため、水検知端子と兼用することができて、水検知のために吸入筒部以外のアクチュエータ部材を他に必要とせず、従来のものに比べて部品点数が少なく簡単な構成とすることができる。また、液体燃料を吸い上げる吸入筒が金属製であるため、その内径を、従来の樹脂製の吸入筒の場合（内径３．５ｍｍ以上）に比べてより細く形成することができ、電磁ポンプが吸い上げる液体燃料の量が一定であれば、燃料タンクが深い場合や一から汲み上げるような場合などにも、燃料タンクから燃焼器まで液体燃料をより速く供給することができて、燃焼スタート時の着火時間を大幅に短縮することができ、従来のように使用者に対する不快感や着火エラーなどの誤判定を防止することができる。
【００４１】
また、吸入筒部は導電性材料でかつその下端部は吸入口の下方に突出しているので、吸入筒部の下端部で燃料タンクの底に溜った水分を、吸入口から吸い込まないうちに水検知手段で水検知することができて、これを使用者に報知することができる。
【００４２】
さらに、吸入筒部を燃料タンク外壁に貫通させてシールするようにすれば、電磁ポンプ本体の燃料タンクへの取付に比べて吸入筒部の燃料タンクへの取付の方がその取付径が大幅に細くシールが容易で、タンク転倒時の燃料漏れに対するシール性も良好とすることができる。また、この場合には、燃料タンクに電磁ポンプを直接取付けないので、電磁ポンプの駆動による燃料タンクの共鳴効果を抑えることができて、電磁ポンプの駆動音を大幅に小さくすることができる。
【図面の簡単な説明】
【図１】本発明の一実施形態における燃焼装置の構成を示すブロック図である。
【図２】図１の電磁ポンプ４の外観構成および燃焼制御部１２の詳細構成を示す図である。
【図３】図２の電磁ポンプ４の縦断面図である。
【図４】本発明の他の実施形態の電磁ポンプにおける吸入筒の縦断面図である。
【図５】本発明のさらに他の実施形態の電磁ポンプにおける取付状態を示す図である。
【図６】従来の電磁ポンプの構成を示す縦断面図である。
【符号の説明】
２，２ｂ    燃料タンク
３，３ａ，３ｂ    吸入筒
４，４ｂ    電磁ポンプ
９    気化器
１１    燃焼器
１２    燃焼制御部
１３    シリンダ
１８    プランジャ
１９    復動用ばね
２０    平衡ばね
２１    吸入弁座
２２    吸入弁
２３，２６    ばね
２４    吐出弁座
２５    吐出弁
３０    磁極部材
３４，３４ａ，３４ｂ    水検知端子
３５    取付金具
３６    ファストンタブ
３７    水検知制御回路
３８    異常報知手段
Ｆ    液体燃料
【図１】
0003784898.tif 000002
【図２】
0003784898.tif 000003
【図３】
0003784898.tif 000004
【図４】
0003784898.tif 000005
【図５】
0003784898.tif 000006
【図６】
0003784898.tif 000007